(57)【要約】【課題】通信機能付き情報収集装置から無線親局までの無線中継を適切に行うことによって比較的小さな無線通信出力で通信機能付き情報収集装置からの通信を確実に行える機器監視システムを得る。【解決手段】監視対象機器の情報を収集する複数の通信機能付きセンサ２と、通信機能付きセンサ２との通信手段を有し通信機能付きセンサ２により収集された情報について処理を行う現場監視装置３とを備え、現場監視装置３は、通信機能付きセンサにより収集された情報をデータ収集装置６が接続されたネットワーク５に無線親局４を介して送信するようにした。【選択図】図１
2005150883.tif 000002
【特許請求の範囲】
【請求項１】
監視対象機器の情報を収集する複数の通信機能付き情報収集装置と、前記通信機能付き情報収集装置との無線通信を行う通信手段を有し前記通信機能付き情報収集装置により収集された情報について処理を行う現場監視装置とを備え、前記現場監視装置は、前記通信機能付き情報収集装置により収集された情報をデータ収集装置が接続されたネットワークに無線親局を介して送信することを特徴とする機器監視システム。
【請求項２】
前記現場監視装置に、異なる種類の無線を扱えるようにする複数種類のアンテナと、前記アンテナに対応する複数種類の通信回路を設け、前記通信機能付き情報収集装置と前記現場監視装置との間の無線通信と、前記現場監視装置と前記無線親局との間の無線通信を、異なる通信方式により行うことを特徴とする請求項１に記載の機器監視システム。
【請求項３】
監視対象機器の情報を収集する第１および第２の通信機能付き情報収集装置を含む複数の通信機能付き情報収集装置と、前記通信機能付き情報収集装置との無線通信を行う通信手段を有し前記通信機能付き情報収集装置により収集された情報について処理を行う現場監視装置とを備え、前記第１の通信機能付き情報収集装置と前記現場監視装置の間の無線通信を、前記第２の通信機能付き情報収集装置が無線中継することを特徴とする請求項１または請求項２に記載の機器監視システム。
【請求項４】
監視対象機器の情報を収集する第１および第２の通信機能付き情報収集装置を含む複数の通信機能付き情報収集装置を備え、前記第１の通信機能付き情報収集装置の無線通信を、前記第２の通信機能付き情報収集装置が無線親局に無線中継して、前記第１の通信機能付き情報収集装置により収集された情報をデータ収集装置が接続されたネットワークに前記無線親局を介して送信することを特徴とする機器監視システム。
【請求項５】
監視対象機器の情報を収集する第１および第２の通信機能付き情報収集装置ならびに第３の通信機能付き情報収集装置を含む複数の通信機能付き情報収集装置を備え、前記第１の通信機能付き情報収集装置からの無線通信を前記第２の通信機能付き情報収集装置によって無線中継するとともに、前記第２の通信機能付き情報収集装置により無線中継される第１の通信経路の不調検出に応じて前記第３の通信機能付き情報収集装置により無線中継される第２の通信経路を設定し前記第２の通信経路で前記第１の通信機能付き情報収集装置からの無線通信を実行させる通信経路選択手段を設けたことを特徴とする請求項１から請求項４までのいずれかに記載の機器監視システム。
【発明の詳細な説明】
【技術分野】
【０００１】
この発明は、機器監視システム、特に、現場に設置されている機器設備の監視に必要な情報を、ネットワークにより収集し、遠隔地にいる運転員や保守員に情報提供する機器監視システムに関するものである。
【背景技術】
【０００２】
従来の機器監視システムにおいては、離散設置された各種センサと監視装置本体とを接続するケーブルを無くし、敷設工事のコストダウンを図ることを課題として、通信機能を持つインテリジェントセンサで検出したプラントのプロセス値を、通話通信網を介してＰＨＳ通信により、データ収集表示装置に送信し、監視を行う（例えば、特許文献１参照）。
【０００３】
【特許文献１】特開２００２−２３８３２号公報（第１頁、図１）
【発明の開示】
【発明が解決しようとする課題】
【０００４】
従来の機器監視システムは、以上のように構成されているので、ケーブルの敷設工事やメンテナンス時のケーブルをはずす作業は発生しないが、現場の監視する場所に敷設する通信機能付きセンサで構成された通信機能付き情報収集装置から直接無線親局まで、ＰＨＳなどの無線により通信を行うため、出力の大きい無線を使用する必要がある。通信機能付きセンサではケーブル敷設工事を無くすため、通常バッテリ駆動とする必要があるが、出力の大きい無線を使用すると通信機能付きセンサのバッテリ容量の増大あるいはバッテリ交換周期の短期間化が必要になる。
さらに、通信機能付きセンサと無線親局の間で無線が通りにくい場合、無線親局は既存の通信網を使用しているため別の場所に動かせないこと、通信機能付きセンサはセンサを監視場所に取り付ける必要があることから、両者ともに場所を移動させて通信経路を確保することができないため、データ通信できない測定箇所が発生するような問題点があった。
【０００５】
この発明は、上記のような問題点を解決するためになされたものであり、通信機能付き情報収集装置から無線親局までの無線中継を適切に行うことによって比較的小さな無線通信出力で通信機能付き情報収集装置からの通信を確実に行える機器監視システムを得ようとするものである。
【課題を解決するための手段】
【０００６】
この発明に係る機器監視システムは、監視対象機器の情報を収集する複数の通信機能付き情報収集装置との通信手段を有し前記通信機能付き情報収集装置により収集された情報について処理を行う現場監視装置を備え、前記現場監視装置は、前記通信機能付き情報収集装置により収集された情報をデータ収集装置が接続されたネットワークに無線親局を介して送信するようにしたものである。
【発明の効果】
【０００７】
この発明によれば、通信機能付き情報収集装置から無線親局までの無線中継を適切に行うことによって比較的小さな無線通信出力で通信機能付き情報収集装置からの通信を確実に行える機器監視システムを得ることができる。
【発明を実施するための最良の形態】
【０００８】
実施の形態１．
この発明による実施の形態１を図１から図３までに基づいて説明する。図１は実施の形態１におけるシステム構成を示すブロック図である。図２は実施の形態１における通信機能付きセンサの構成を示すブロック図である。図３は実施の形態１における現場監視装置の構成を示すブロック図である。
【０００９】
図１において、現場設備１は、この発明の機器監視システムの監視対象である設備である。通信機能付きセンサ２は、前記現場設備１のうち監視が必要な部分に取り付けたセンサに無線の通信手段を備えたものである。現場監視装置３は、現場設備１に設けられた複数の通信機能付きセンサ２により収集したデータについて保管・管理・演算・通信などの処理を行い、必要に応じて診断などの処理を行うものである。無線親局４は、現場監視装置３と無線による通信を行うためのものである。ネットワーク５は、複数の無線親局４と、データ収集装置６を接続するためのものである。データ収集装置６は、複数の現場設備１に備えられた複数の通信機能付きセンサ２から収集し、取得したデータについて保管・管理・演算などの処理を行い、必要に応じ診断などの処理を行って、保守員により監視が行えるようにするものである。
【００１０】
通信機能付きセンサ２の詳細の構成図を図２に示す。図２において、通信機能付きセンサ２は、他の設備と無線による通信を行うためのアンテナ２１と、その無線による通信を実現するために必要な通信回路２２と、取得したデータを保存するための記憶回路２３と、取得したデータについて保存・管理・演算・通信などの処理を行い必要に応じて診断などの処理を行うために必要なデータ処理用回路２４と、通信機能付きセンサの各部分に電力を供給するためのバッテリ２５と、センサ２７から取得してきたデータを、データ処理用回路２４が扱える形式に変換したり、センサ２７自体の駆動を行ったりするセンサ用回路２６と、現場設備１の監視に必要なデータを取得するためのセンサ２７からなる。
【００１１】
現場監視装置３の詳細の構成図を図３に示す。図３において、現場監視装置３は、他の設備と無線による通信を行うためのアンテナ３１と、その無線による通信を実現するために必要な通信回路３２と、取得したデータを保存するための記憶回路３３と、データを保管・管理・演算・通信や必要に応じて診断などを行うために必要なデータ処理用回路３４と、通信機能付きセンサの各部分に電力を供給するためのバッテリ３５からなる。
【００１２】
通信機能付きセンサ２と現場監視装置３との間の無線通信を行う通信手段１１は、１対１で通信可能な無線の手段を用いることとなる。例えば、ＰＨＳのトランシーバモードや、ＩＥＥＥ８０２．１１の各種に定義される無線ＬＡＮのアドホックモード、ＩＥＥＥ８０２．１５の各種に定義される近距離無線である。この中でも、ＩＥＥＥ８０２．１５．４に定義される無線ネットワークを用いることにより、通信機能付きセンサ２に内蔵されるバッテリ２５および現場監視装置３に内蔵されるバッテリ３５の小型化、長期連続駆動が実現され、この発明の機器監視装置を実現可能とする。
【００１３】
現場監視装置３と無線親局４との間の無線通信を行う通信手段１２は、通信手段１１と同じ通信手段を用いる。
【００１４】
次に、動作について説明する。現場設備１に設置した通信機能付きセンサ２の構成要素であるセンサ２７でデータを取得すると、センサ用回路２６およびデータ処理回路２４でデータ処理され、記憶回路２３に保存される。データ送信時には、当該の記憶回路２３から通信用回路２２、アンテナ２１を経由して、当該の通信機能付きセンサ２と現場監視装置３との間の無線通信手段１１を用いて当該の現場監視装置３にデータが伝送される。現場監視装置３では、データをアンテナ３１、通信回路３２で受信し、データ処理用回路３４で処理され記憶回路３３に保存される。そのデータを再びデータ処理用回路３４により記憶回路３３から取り出され、通信用回路３２、アンテナ３１を経由して、当該音現場監視装置３と無線親局４の間の無線通信手段１２と、ネットワーク５を経由して、データ収集装置６に伝送される。当該のデータ収集装置６では、受信したデータを処理・保存し、保守員に提供される。
【００１５】
この実施の形態１では、現場設備１の監視対象場所に、無線通信を行うためのアンテナ２１、無線通信を制御するための通信用回路２２、データを保存しておくための記憶回路２３、データを収集・解析などをするためのデータ処理用回路２４、データを監視対象場所から取得するためのセンサ２７、センサ２７からの信号を変換するためのセンサ用回路２６、通信機能付きセンサ２全体の駆動用電源であるバッテリ２５を備える通信機能付きセンサ２を取り付け、現場設備１の前記通信機能付きセンサ２と、無線親局４の両方に無線通信できる場所に、前記通信機能付きセンサ２と無線通信を行うためのアンテナ３１、無線通信を制御するための通信用回路３２、データを保存しておくための記憶回路３３、データを収集・解析などをするためのデータ処理用回路３４、現場監視装置３全体の駆動用電源であるバッテリ３５を備える現場監視装置３を取り付け、無線通信のための無線親局４を備え、無線親局４と有線の通信を行うためのネットワーク５を備え、ネットワーク５に接続される現場設備１からの収集データを収集し監視・管理を行うためのデータ収集装置６を備える機器監視装置が構成されている。
【００１６】
次に、効果について説明する。この発明の実施の形態１によると、現場設備１の監視対象場所に設置された通信機能付きセンサ２と現場監視装置３とが、無線により情報伝送されるようにしていること、現場監視装置３とデータ収集装置６の間も同様に無線により情報伝送されるようにしていることから、機器監視装置３を敷設する際に、ケーブル工事が発生しないこと、機器監視装置３にケーブルが無いため、現場設備自体のメンテナンスへの影響が最小限にできる。さらに、現場監視装置３を監視対象場所とは独立した任意の場所に設置できることから、無線通信の行いやすい場所に設置することができ、通信機能付きセンサ２を設置する監視対象場所が無線通信の行いにくい場所であっても、対応できるようになる。
【００１７】
この発明による実施の形態１によれば、監視対象機器の情報を収集する複数の通信機能付きセンサ２からなる通信機能付き情報収集装置と、前記通信機能付きセンサ２からなる通信機能付き情報収集装置との無線通信を行う通信手段を有し前記通信機能付きセンサ２からなる通信機能付き情報収集装置により収集された情報について処理を行う現場監視装置３とを備え、前記現場監視装置３は、前記通信機能付きセンサ２からなる通信機能付き情報収集装置により収集された情報をデータ収集装置６が接続されたネットワーク５に無線親局４を介して送信するようにしたので、通信機能付き情報収集装置から無線親局までの無線中継を適切に行うことによって比較的小さな無線通信出力で通信機能付き情報収集装置からの通信を確実に行える機器監視システムを得ることができる。
【００１８】
実施の形態２．
この発明による実施の形態２を図４および図５に基づいて説明する。図４は実施の形態２におけるシステム構成を示すブロック図である。図５は実施の形態２における現場監視装置の構成を示すブロック図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１９】
上記実施の形態１では、現場監視装置３にアンテナ３１および通信用回路３２を１つずつ備えるものとして、通信機能付きセンサ２から現場監視装置３への通信手段１１と当該の現場監視装置３と無線親局４との通信手段１２を同一の通信方式で無線通信する場合について述べたが、この実施の形態２では、図４に示す通り、通信機能付きセンサ２と現場監視装置３の間の通信手段１１と、前記現場監視装置３と無線親局４との通信手段１２とを異なる方式の通信方式を適用することにして、通信時の無線の電波干渉を防止することや、無線を中・長距離伝送することができる。
【００２０】
この実施の形態２による現場監視装置３の詳細構成を、図５に示す。図５において、現場監視装置３は、通信機能付きセンサ２と無線による通信を行うための近距離用アンテナ３６と、その無線による通信を実現するために必要な近距離用通信回路３７と、無線親局４と無線による通信を行うための中長距離用アンテナ３８と、その無線による通信を実現するために必要な中長距離用通信回路３９と、取得したデータを保存するための記憶回路３３と、取得したデータについて保存・管理・演算・通信などの処理を行い、必要に応じて診断などの処理を行うために必要なデータ処理用回路３４と、通信機能付きセンサの各部分に電力を供給するためのバッテリ３５からなる。
【００２１】
通信機能付きセンサ２と現場監視装置３との間の通信手段１１は、実施の形態１と同様に１対１で通信可能な無線の手段を用いることとなる。
【００２２】
現場監視装置３と無線親局４との間の通信手段１２は、通信手段１２とは異なり、現場設備が無線親局からある程度の距離がある場合でも通信できるように、あるいは、社会基盤としての既存の通信網を使用できるように中長距離用の無線通信手段を用いる。例えば、通信機能付きセンサ２と現場監視装置３との通信手段１１にＩＥＥＥ８０２．１５．４で定義されるような近距離用の通信方式を採用し、現場監視装置３と無線親局４との通信手段１２に、携帯電話・ＰＨＳを採用するなどの方法である。
【００２３】
次に、動作について実施の形態１と異なる部分について説明する。現場監視装置３では、通信機能付きセンサ２から通信手段１１を用いて伝送されてきたデータを近距離用アンテナ３６、近距離用通信用回路３７で受信し、データ処理用回路３４で処理され記憶回路３３に保存される。そのデータをデータ処理用回路３４により記憶回路３３から取り出され、中長距離用通信用回路３９、中長距離用アンテナ３８を経由して、前記現場監視装置３と無線親局４の間の無線通信手段１２と、ネットワーク５を経由して、データ収集装置６に伝送される。
【００２４】
次に、効果について説明する。この実施の形態２では、前述した実施の形態１の効果に加え、現場設備近傍の通信を近距離用の通信手段にすることにより、通信機能付きセンサ２の無線出力を小さくすることができるため、内蔵するバッテリ２５の小容量化や長期連続駆動を実現することが容易になる。さらに、通信手段１１と通信手段１２が異なる通信方式を採用するため、その通信方式の使用する無線の周波数帯域が異なるようにすれば、電波干渉を起こすことが無いため通信トラフィックの向上を実現することができる。
【００２５】
この発明による実施の形態２によれば、実施の形態１における構成において、前記現場監視装置３に、異なる種類の無線を扱えるようにする複数種類のアンテナ３６，３８と、前記アンテナ３６，３８に対応する複数種類の通信回路３７，３９を備え、前記通信機能付きセンサ２からなる通信機能付き情報収集装置と前記現場監視装置３との間の無線通信と、前記現場監視装置３と前記無線親局４との間の無線通信を、異なる通信方式により行うようにしたので、通信機能付き情報収集装置と現場監視装置との間の無線通信と、現場監視装置３と無線親局４との間の無線通信を、それぞれに適応した通信方式で実行でき、通信機能付き情報収集装置から無線親局までの無線中継を適切に行うことによって比較的小さな無線通信出力で通信機能付き情報収集装置からの通信を確実に行える機器監視システムを得ることができる。
【００２６】
実施の形態３．
この発明による実施の形態３を図６に基づいて説明する。図６は実施の形態３におけるシステム構成を示すブロック図である。
この実施の形態３において、ここで説明する特有の構成以外の構成については、先に説明した実施の形態１または実施の形態２における構成と同一の構成内容を具備し、同様の作用を奏するものである。図中、同一符号は同一または相当部分を示す。
【００２７】
上記実施の形態１では、通信機能付きセンサ２と現場監視装置３との通信で経由するものが無い場合について述べたが、この実施の形態３では、図６に示す通り、１つの通信機能付きセンサ２ａから現場監視装置３までの通信経路に、別の通信機能付きセンサ２ｂが中継する方式を適用している。
【００２８】
次に、実施の形態３の動作について実施の形態１と異なる部分について説明する。通信機能付きセンサ２ａで収集されたデータは、まず通信機能付きセンサ２ｂへ通信経路１１ａを経由して送信される。前記通信機能付きセンサ２ｂは、通信機能付きセンサ２ａからのデータを一度メモリへ保存し、そのデータをそのまま通信経路１１ｂを経由して現場監視装置３に伝送する。なお、通信機能付きセンサ２ｂで収集されたデータは現場監視装置３に無線伝送される。
【００２９】
次に、効果について説明する。この実施の形態３では、前述した実施の形態１の効果に加え、通信機能付きセンサが無線通信の中継を果たすことにより、通信機能付きセンサと現場監視装置間の通信が無線経路を確保できない場合に、別の通信機能付きセンサに中継させることにより、他のコストをかけずに通信を実現させることができる。
【００３０】
この発明による実施の形態３によれば、実施の形態１または実施の形態２における構成において、監視対象機器の情報を収集する通信機能付きセンサ２ａからなる第１の通信機能付き情報収集装置および通信機能付きセンサ２ｂからなる第２の通信機能付き情報収集装置を含む複数の通信機能付き情報収集装置と、前記通信機能付きセンサ２ａ，２ｂからなる通信機能付き情報収集装置との無線通信を行う通信手段を有し前記通信機能付きセンサ２ａ，２ｂからなる通信機能付き情報収集装置により収集された情報について処理を行う現場監視装置３とを備え、前記通信機能付きセンサ２ａからなる第１の通信機能付き情報収集装置と前記現場監視装置３の間の無線通信を、前記第２の通信機能付きセンサ２ｂからなる通信機能付き情報収集装置が無線中継するようにしたので、通信機能付きセンサと現場監視装置との間の通信を別の通信機能付きセンサに中継させることにより、通信機能付き情報収集装置から無線親局までの無線中継を適切に行うことによって比較的小さな無線通信出力で通信機能付き情報収集装置からの通信を確実に行える機器監視システムを得ることができる。
【００３１】
実施の形態４．
この発明による実施の形態４を図７に基づいて説明する。図７は実施の形態４におけるシステム構成を示すブロック図である。
この実施の形態４において、ここで説明する特有の構成以外の構成については、先に説明した実施の形態１または実施の形態３における構成と同一の構成内容を具備し、同様の作用を奏するものである。図中、同一符号は同一または相当部分を示す。
【００３２】
上記実施の形態１および実施の形態３では、通信機能付きセンサ２からのデータを現場監視装置３を経由して無線親局４へ伝送する場合について述べたが、この実施の形態４では、図７に示す通り、通信機能付きセンサ２ａで収集されたデータは、別の通信機能付きセンサ２ｂを経由して無線親局４に通信される。
【００３３】
次に、実施の形態４の動作について、実施の形態１と異なる部分について説明する。すなわち、通信機能付きセンサ２ａで収集されたデータは、通信機能付きセンサ２ａと通信機能付きセンサ２ｂ間の通信経路１１により、一度通信機能付きセンサ２ｂのメモリに保存される。通信機能付きセンサ２ｂと無線親局４とは通信経路１２で通信できる場所・距離にあるため、通信機能付きセンサ２ａで収集され通信機能付きセンサ２ｂのメモリ内に保存されたデータは、通信経路１２、無線親局４、ネットワーク５を経由してデータ収集装置６へ伝送される。
【００３４】
次に、効果について説明する。この実施の形態４では、前述した実施の形態１、３の効果に加え、現場監視装置の中継が無い場合でも、無線親局との通信を容易にできる場所・距離に通信機能付きセンサが１台でもあれば、それを経由することにより通信経路を確保できるため、現場監視装置を省略することができ、装置全体のコストを低減させることができる。
【００３５】
この発明による実施の形態４によれば、監視対象機器の情報を収集する通信機能付きセンサ２ａからなる第１の通信機能付き情報収集装置および通信機能付きセンサ２ｂからなる第２の通信機能付き情報収集装置を含む複数の通信機能付き情報収集装置を備え、前記通信機能付きセンサ２ａからなる第１の通信機能付き情報収集装置の無線通信を、前記通信機能付きセンサ２ｂからなる第２の通信機能付き情報収集装置が無線親局４に無線中継して、前記通信機能付きセンサ２ａからなる第１の通信機能付き情報収集装置により収集された情報をデータ収集装置６が接続されたネットワーク５に無線親局４を介して送信するようにしたので、通信機能付き情報収集装置からの無線通信を別の通信機能付き情報収集装置によって無線親局へ無線中継することにより、通信機能付き情報収集装置から無線親局までの無線中継を適切に行うことによって比較的小さな無線通信出力で通信機能付き情報収集装置からの通信を確実に行える機器監視システムを得ることができる。
【００３６】
実施の形態５．
この発明による実施の形態５を図８および図９に基づいて説明する。図８は実施の形態５におけるシステム構成を示すブロック図である。図９は実施の形態５における通信機能付きセンサの構成を示すブロック図である。
この実施の形態５において、ここで説明する特有の構成以外の構成については、先に説明した実施の形態１から実施の形態４までのいずれかにおける構成と同一の構成内容を具備し、同様の作用を奏するものである。図中、同一符号は同一または相当部分を示す。
【００３７】
上記実施の形態１、３、４では、通信機能付きセンサ２からのデータを他の通信機能付きセンサあるいは現場監視装置３を経由して無線親局４へ伝送する場合について述べたが、この実施の形態５では、図８に示す通り、途中経路である通信機能付きセンサ２ｂが故障などにより無線中継が不可能になった場合に、他の通信機能付きセンサ２ｃを自動で経由するようにしたものである。
【００３８】
次に、実施の形態５の動作について、実施の形態１、３、４と異なる部分について説明する。通信機能付きセンサ２ａは、他の通信機能付きセンサ２ｂと無線通信できる距離・場所にある。通信機能付きセンサ２ｂは現場監視装置３と無線通信できる距離・場所にある。また、通信機能付きセンサ２ｃは、通信機能付きセンサ２ａと無線通信できる距離・場所にあり、さらに現場監視装置３と無線通信できる距離・場所にある。
通常時には、通信機能付きセンサ２ａで収集されたデータは、通信経路１１ａ、通信機能付きセンサ２ｂ、通信経路１１ｂを経由して、現場監視装置３に伝送される。
【００３９】
通信機能付きセンサ２ｂが故障などにより、通信機能付きセンサ２ａからのデータを前述の通信経路１１ａ、通信機能付きセンサ２ｂ、通信経路１１ｂ経由で現場監視装置３に伝送できなくなった場合、通信機能付きセンサ２ａが自動的に他の通信経路を探索する。これは、例えばＩＥＥＥ８０２．１５．４に定義される無線ネットワーク自動構築の機能を用いることにより実現できる。通信経路を確定できた通信機能付きセンサ２ａから、通信経路１１ｃ、通信機能付きセンサ２ｃ、通信経路１１ｄを経由して、現場監視装置３にデータ伝送される。
【００４０】
図９に示すように、通信機能付きセンサ２ａには、このような通信経路変更機能を実現するために、通信故障検出回路２８および通信経路選択回路２９が設けられている。通信故障検出回路２８は、通信機能付きセンサ２ｂの故障などによる通信経路１１ａおよび通信経路１１ｂを経由した現場監視装置３および通信親局４への通信不能等の通信不調を検出し、これを通信経路選択回路２９に伝達する。通信経路選択回路２９は、通信故障検出回路２８による通信経路１１ａおよび通信経路１１ｂを経由した現場監視装置３および通信親局４への通信不調の検出に応動して、通信経路１１ｃ、通信機能付きセンサ２ｃ、通信経路１１ｄを経由して設定された現場監視装置３への通信経路を選択し、データ伝送経路を確保する。この通信経路選択回路２９による通信経路の構築は、前述のように、例えばＩＥＥＥ８０２．１５．４に定義される無線ネットワーク自動構築の機能を用いることによって実現できるものである。
【００４１】
次に、効果について説明する。この実施の形態５では、前述した実施の形態１、３、４の効果に加え、現場の通信経路の１つが途絶えたときであっても、他の通信経路を自動的に構築することにより、データ伝送できるため、信頼性の高い通信ネットワークを構築することができる。
【００４２】
この発明による実施の形態５によれば、実施の形態１から実施の形態４までのいずれかにおける構成において、監視対象機器の情報を収集する通信機能付きセンサ２ａからなる第１の通信機能付き情報収集装置および通信機能付きセンサ２ｂからなる第２の通信機能付き情報収集装置ならびに通信機能付きセンサ２ｃからなる第３の通信機能付き情報収集装置を含む複数の通信機能付き情報収集装置を備え、前記通信機能付きセンサ２ａからなる第１の通信機能付き情報収集装置の無線通信を前記通信機能付きセンサ２ｂからなる第２の通信機能付き情報収集装置によって無線中継するとともに、前記通信機能付きセンサ２ｂからなる第２の通信機能付き情報収集装置により無線中継される第１の通信経路１１ａ，１１ｂの通信不能等の不調検出に応じて前記通信機能付きセンサ２ｃからなる第３の通信機能付き情報収集装置により無線中継される第２の通信経路１１ｃ，１１ｄを設定し前記第２の通信経路１１ｃ，１１ｄで前記通信機能付きセンサ２ａからなる第１の通信機能付き情報収集装置の無線通信を実行させる通信経路選択回路２９からなる通信経路選択手段を前記通信機能付きセンサ２ａからなる通信機能付き情報収集装置に設けたので、通信機能付き情報収集装置から無線親局までの無線中継を適切に行うことによって比較的小さな無線通信出力で通信機能付き情報収集装置からの通信を確実に行えるとともに、現場の通信経路の１つが途絶えたときであっても、他の通信経路を自動的に構築することにより、データ伝送できるため、信頼性の高い通信ネットワークを構築できる機器監視システムを得ることができる。
【図面の簡単な説明】
【００４３】
【図１】この発明による実施の形態１におけるシステム構成を示すブロック図である。
【図２】この発明による実施の形態１における通信機能付きセンサの構成を示すブロック図である。
【図３】この発明による実施の形態１における現場監視装置の構成を示すブロック図である。
【図４】この発明による実施の形態２におけるシステム構成を示すブロック図である。
【図５】この発明による実施の形態２における現場監視装置の構成を示すブロック図である。
【図６】この発明による実施の形態３におけるシステム構成を示すブロック図である。
【図７】この発明による実施の形態４におけるシステム構成を示すブロック図である。
【図８】この発明による実施の形態５におけるシステム構成を示すブロック図である。
【図９】この発明による実施の形態５における通信機能付きセンサの構成を示すブロック図である。
【符号の説明】
【００４４】
１  現場設備、２，２ａ，２ｂ，２ｃ  通信機能付きセンサ、３  現場監視装置、４  無線親局、５  ネットワーク、６  データ収集装置、１１，１１ａ，１１ｂ，１１ｃ，１１ｄ  通信機能付きセンサからの無線経路、１２  現場監視装置からの無線経路、２１  アンテナ、２２  通信用回路、２３  記憶回路、２４  データ処理用回路、２５  バッテリ、２６  センサ用回路、２７  センサ、３１  アンテナ、３２  通信用回路、３３  記憶回路、３４  データ処理用回路、３５  バッテリ、３６  近距離用アンテナ、３７  近距離用通信用回路、３８  中長距離用アンテナ、３９  中長距離用通信用回路。
【図１】
2005150883.tif 000003
【図２】
2005150883.tif 000004
【図３】
2005150883.tif 000005
【図４】
2005150883.tif 000006
【図５】
2005150883.tif 000007
【図６】
2005150883.tif 000008
【図７】
2005150883.tif 000009
【図８】
2005150883.tif 000010
【図９】
2005150883.tif 000011